(57)【要約】【課題】画質や音質のパラメータを、簡単に適切な値に設定することができるようにする。【解決手段】テレビジョン受像機４１−１は、ユーザによりチャンネルが変更された場合、対応する番組のジャンルを取得する。また、ユーザにより他のテレビジョン受像機の画質と音質の設定パラメータの参照が要求された場合、テレビジョン受像機４１−１は、通信制御部４を介して、他のテレビジョン受像機４１−２に設定パラメータの転送を要求する。これに対して、テレビジョン受像機４１−２は、対応する番組ジャンルの設定パラメータを送信してくるので、テレビジョン受像機４１−１は、これを受信し、受信したパラメータに基づいて画質と音質を調整する。本発明は、テレビジョン受像機に適用できる。【選択図】      図１
2004228788.tif 000002
【特許請求の範囲】
【請求項１】
コンテンツのパラメータが調整された場合、前記パラメータを記憶する記憶手段と、
他の情報処理装置と通信し、前記他の情報処理装置に記憶されている前記パラメータを受信する通信手段と、
前記記憶手段に記憶されている前記パラメータ、または前記通信手段により受信された前記パラメータのいずれかを選択する選択手段と、
前記選択手段により選択された前記パラメータに基づいて、前記コンテンツを調整する調整手段と
を備えることを特徴とする情報処理装置。
【請求項２】
前記情報処理装置を遠隔制御する遠隔制御装置からの遠隔制御信号を受信する受信手段をさらに備え、
前記記憶手段は、前記遠隔制御信号に含まれる前記遠隔制御装置に固有のＩＤを、前記パラメータに関連付けてさらに記憶し、
前記調整手段は、前記情報処理装置を遠隔制御してきた前記遠隔制御装置の前記ＩＤに関連付けされている前記パラメータに基づいて、前記コンテンツを調整する
ことを特徴とする請求項２に記載の情報処理装置。
【請求項３】
前記パラメータに関するユーザの満足度を入力する満足度入力手段をさらに備え、
前記記憶手段は、前記入力手段により入力された前記満足度を、前記パラメータに関連付けて記憶し、
前記通信手段は、前記他の情報処理装置から前記パラメータが要求された場合、前記記憶手段に記憶されている前記満足度に基づいて、前記パラメータを送信する
ことを特徴とする請求項１に記載の情報処理装置。
【請求項４】
情報処理装置の情報処理方法において、
コンテンツのパラメータが調整された場合、前記パラメータの記憶を制御する記憶制御ステップと、
他の情報処理装置と通信し、前記他の情報処理装置に記憶されている前記パラメータを受信する通信ステップと、
前記記憶制御ステップの処理により記憶が制御されている前記パラメータ、または前記通信ステップの処理により受信された前記パラメータのいずれかを選択する選択ステップと、
前記選択ステップの処理により選択された前記パラメータに基づいて、前記コンテンツを調整する調整ステップと
を含むことを特徴とする情報処理方法。
【請求項５】
情報処理装置を制御するコンピュータのプログラムであって、
コンテンツのパラメータが調整された場合、前記パラメータの記憶を制御する記憶制御ステップと、
他の情報処理装置と通信し、前記他の情報処理装置に記憶されている前記パラメータを受信する通信ステップと、
前記記憶制御ステップの処理により記憶が制御されている前記パラメータ、または前記通信ステップの処理により受信された前記パラメータのいずれかを選択する選択ステップと、
前記選択ステップの処理により選択された前記パラメータに基づいて、前記コンテンツを調整する調整ステップと
を含むことを特徴とするコンピュータが読み取り可能なプログラムが記録されている記録媒体。
【請求項６】
情報処理装置を制御するコンピュータのプログラムであって、
コンテンツのパラメータが調整された場合、前記パラメータの記憶を制御する記憶制御ステップと、
他の情報処理装置と通信し、前記他の情報処理装置に記憶されている前記パラメータを受信する通信ステップと、
前記記憶制御ステップの処理により記憶が制御されている前記パラメータ、または前記通信ステップの処理により受信された前記パラメータのいずれかを選択する選択ステップと、
前記選択ステップの処理により選択された前記パラメータに基づいて、前記コンテンツを調整する調整ステップと
を含む処理をコンピュータに実行させることを特徴とするプログラム。
【発明の詳細な説明】
【０００１】
【発明の属する技術分野】
本発明は、情報処理装置および方法、記録媒体、並びにプログラムに関し、特に、画質を簡単に調整することができるようにした情報処理装置および方法、記録媒体、並びにプログラムに関する。
【０００２】
【従来の技術】
テレビジョン受像機には、画質や音質をユーザの好みに合わせて調整する機能が備えられている。ユーザはあらかじめパラメータを所定の値に設定しておくことにより、所定の画像と音質を得ることができる。
【０００３】
この場合、番組のジャンル毎にパラメータを設定するようにすることで、ユーザはより好ましい状態で番組を視聴することができる（例えば、特許文献１）。
【０００４】
【特許文献１】
特開２００１−３２６８７５号公報
【０００５】
【発明が解決しようとする課題】
しかしながら、画質と音質を好みのものにするには、ユーザはパラメータを設定するための操作をしなければならず、操作に不慣れなユーザは、パラメータを適切な値に設定することができないので、結局、最適な画質と音質で番組を視聴することができないという課題があった。
【０００６】
特に、複数のジャンルの各々について、最適なパラメータを設定するには、相当の手間がかかり、実際には、各ジャンルの番組を最適な画質と音質で視聴することは困難である。
【０００７】
本発明は、このような状況に鑑みてなされたものであり、画質や音質のパラメータを、簡単に適切な値に設定することができるようにするものである。
【０００８】
【課題を解決するための手段】
本発明の情報処理装置は、コンテンツのパラメータが調整された場合、パラメータを記憶する記憶手段と、他の情報処理装置と通信し、他の情報処理装置に記憶されているパラメータを受信する通信手段と、記憶手段に記憶されているパラメータ、または通信手段により受信されたパラメータのいずれかを選択する選択手段と、選択手段により選択されたパラメータに基づいて、コンテンツを調整する調整手段とを備えることを特徴とする。
【０００９】
情報処理装置を遠隔制御する遠隔制御装置からの遠隔制御信号を受信する受信手段をさらに備え、記憶手段は、遠隔制御信号に含まれる遠隔制御装置に固有のＩＤを、パラメータに関連付けてさらに記憶し、調整手段は、情報処理装置を遠隔制御してきた遠隔制御装置のＩＤに関連付けされているパラメータに基づいて、コンテンツを調整することを特徴とする。
【００１０】
前記パラメータに関するユーザの満足度を入力する満足度入力手段をさらに備え、記憶手段は、入力手段により入力された満足度を、パラメータに関連付けて記憶し、通信手段は、他の情報処理装置からパラメータが要求された場合、記憶手段に記憶されている満足度に基づいて、パラメータを送信するようにすることができる。
【００１１】
本発明の情報処理方法は、コンテンツのパラメータが調整された場合、パラメータの記憶を制御する記憶制御ステップと、他の情報処理装置と通信し、他の情報処理装置に記憶されているパラメータを受信する通信ステップと、記憶制御ステップの処理により記憶が制御されているパラメータ、または通信ステップの処理により受信されたパラメータのいずれかを選択する選択ステップと、選択ステップの処理により選択されたパラメータに基づいて、コンテンツを調整する調整ステップとを含むことを特徴とする。
【００１２】
本発明の記録媒体に記録されているプログラムは、コンテンツのパラメータが調整された場合、パラメータの記憶を制御する記憶制御ステップと、他の情報処理装置と通信し、他の情報処理装置により記憶されているパラメータを受信する通信ステップと、記憶制御ステップの処理に記憶が制御されているパラメータ、または通信ステップの処理により受信されたパラメータのいずれかを選択する選択ステップと、選択ステップの処理により選択されたパラメータに基づいて、コンテンツを調整する調整ステップとを含むことを特徴とする。
【００１３】
本発明のプログラムは、コンテンツのパラメータが調整された場合、パラメータの記憶を制御する記憶制御ステップと、他の情報処理装置と通信し、他の情報処理装置に記憶されているパラメータを受信する通信ステップと、記憶制御ステップの処理により記憶が制御されているパラメータ、または通信ステップの処理により受信されたパラメータのいずれかを選択する選択ステップと、選択ステップの処理により選択されたパラメータに基づいて、コンテンツを調整する調整ステップとを含む処理をコンピュータに実行させることを特徴とする。
【００１４】
本願発明においては、記憶されているパラメータ、または受信されたパラメータのいずれかが選択され、選択されたパラメータに基づいて、コンテンツが調整される。
【００１５】
【発明の実施の形態】
以下、図を参照して、本発明の実施の形態について説明する。
【００１６】
図１は、本発明を適用したシステムの構成例を示す図である。
【００１７】
マンション５は、家庭２１−１乃至２１−９を有しており、各家庭２１−１乃至２１−９には、それぞれ、テレビジョン受像機４１−１乃至４１−９が配置されている。
【００１８】
マンション５の屋上等には通信制御部４が設けられている。通信制御部４は、光ファイバ３を介して、プロバイダ２に接続され、プロバイダ２からさらに、インターネット１に接続されている。また、通信制御部４と各家庭２１−１乃至２１−９のテレビジョン受像機４１−１乃至４１−９は、無線ＬＡＮ（Ｌｏｃａｌ  Ａｒｅａ  Ｎｅｔｗｏｒｋ）を介して通信を行なう。
【００１９】
通信制御部４はまた、マンション５以外の近隣の（電波が届く範囲内の）家庭５１−１乃至５１−３に配置されているそれぞれのテレビジョン受像機６１−１乃至６１−３とも無線ＬＡＮを介して通信する。
【００２０】
なお、通信制御部４と各テレビジョン受像機とにより構成されるＬＡＮは、無線ＬＡＮに限らず、有線ＬＡＮとすることもできる。これらのＬＡＮは、例えば、ＩＥＥＥ８０２．１１ａ，ＩＥＥＥ８０２．１１ｂ、イーサネット（登録商標）等に規定されるＬＡＮとすることができる。
【００２１】
さらに、テレビジョン受像機４１−１乃至４１−９、並びに、テレビジョン受像機６１−１乃至６１−３は、通信制御部４を介して相互に直接通信する機能を有している。本発明においては、各テレビジョン受像機は、テレビ番組（コンテンツ）のジャンル毎の画質と音質のパラメータを授受する。
【００２２】
図２は、図１のテレビジョン受像機４１−１の詳細な構成例を示す。
【００２３】
チューナ１０２は、アンテナ１０１により受信されたディジタル放送波を復調し、復調信号として、トランスポートストリーム（ＴＳ）を構成するＴＳ（トランスポートストリーム）パケットをデマルチプレクサ１０３に出力する。デマルチプレクサ１０３は、チューナ１０２からのＴＳパケットを受信する。なお、デマルチプレクサ１０３は、図示せぬ他の伝送路から、ＴＳパケットを受信するようにしても良い。
【００２４】
デマルチプレクサ１０３は、取得したＴＳパケットからビデオデータパケット、オーディオデータパケット、制御情報および番組情報を含むデータパケットを分離する。デマルチプレクサ１０３は、分離したビデオパケットをビデオデコーダ１０４に供給し、オーディオデータパケットをオーディオデコーダ１０７に供給するとともに、データパケットをシステムコントローラ１１０に供給する。
【００２５】
ビデオデータパケットは、ＭＰＥＧ（Ｍｏｖｉｎｇ  Ｐｉｃｔｕｒｅ  Ｅｘｐｅｒｔｓ  Ｇｒｏｕｐ）２方式でエンコードされているので、ビデオデコーダ１０４は、エンコードされているビデオデータパケットをＭＰＥＧ２方式でデコードし、輝度信号と色差信号を取得した後、取得した輝度信号と色差信号を画像信号処理回路１０５に供給する。
【００２６】
画像信号処理回路１０５は、ビデオデコーダ１０４から輝度信号と色差信号を取得するとともに、システムコントローラ１１０から画質調整パラメータ（ボリューム値）を取得し、画質を調整する処理を行なう。画像信号処理部１０５は、画質を調整した輝度信号と色差信号に基づいて、ＲＧＢ信号を生成し、映像表示部１０６に出力する。なお、画像信号処理回路１０５の詳細な構成は、図７を参照して後述する。
【００２７】
映像表示部１０６は、ＣＲＴ（Ｃａｔｈｏｄｅ  Ｒａｙ  Ｔｕｂｅ）、または、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等のフラットディスプレイパネルの他、プロジェクタなどにより構成され、画像信号処理部１０５から供給されたＲＧＢ信号に基づく映像を表示する。
【００２８】
オーディオデータパケットはエンコードされているので、オーディオデコーダ１０７は、これを対応する方式でデコードし、音声信号を音声信号処理回路１０８に供給する。
【００２９】
音声信号処理回路１０８は、オーディオデコーダ１０７から音声信号を取得するとともに、システムコントローラ１１０から音質調整パラメータを取得し、内蔵するフィルターにより、音質調整パラメータに基づいて、音声信号の音質を調整する処理を行なう。音声信号処理回路１０８は、音質を調整したオーディオ信号を、スピーカなどよりなる音声出力部１０９に供給する。音声出力部１０９は、供給されたオーディオ信号に基づく音声を出力する。
【００３０】
操作値メモリ１１１を内蔵するシステムコントローラ１１０は、デマルチプレクサ１０３、入力インターフェース１１２、および通信部１１６と接続されている他、通信部１１６を介してインターネット１に接続されており、各種の制御処理を行なう。
【００３１】
データパケットには、ＰＳＩ（Ｐｒｏｇｒａｍ  Ｓｐｅｃｉｆｉｃ  Ｉｎｆｏｒｍａｔｉｏｎ）およびＳＩ（Ｓｅｒｖｉｃｅ  Ｉｎｆｏｒｍａｔｉｏｎ）が含まれている。ＰＳＩには、番組を構成するストリームのＰＩＤ（Ｐｒｏｇｒａｍ  Ｉｄｅｎｔｉｆｉｃａｔｉｏｎ）（識別子）を示すＰＭＴ（Ｐｒｏｇｒａｍ  Ｍａｐ  Ｔａｂｌｅ）、番組番号との対応関係を示すＰＡＴ（Ｐｒｏｇｒａｍ  Ａｓｓｏｃｉａｔｉｏｎ  Ｔａｂｌｅ）、および、限定受信情報を示すＣＡＴ（Ｃｏｎｄｉｔｉｏｎａｌ  Ａｃｃｅｓｓ  Ｔａｂｌｅ）等が含まれる。ＰＭＴには、さらに細かなセクションディスクリプタという単位で、番組や番組を構成するストリームの説明情報を含ませるようにすることもできる。ディジタル放送においては、ＮＩＴ（Ｎｅｔｗｏｒｋ  Ｉｎｆｏｒｍａｔｉｏｎ  Ｔａｂｌｅ）等のテーブルが用いられ、ＥＰＧの機能、希望するチャンネルのＴＳ受信が可能とされる。
【００３２】
ＳＩには、電子番組ガイド（以下、ＥＰＧ（Ｅｌｅｃｔｒｏｎｉｃ  Ｐｒｏｇｒａｍ  Ｇｕｉｄｅ）と称する）が含まれている。ＥＰＧは、各放送事業者の最新テレビ番組情報とされ、例えば、番組の録画予約に便利な番組タイトル、各番組のジャンルが含まれており、地上波データ放送、またはインターネット１により入手可能とされる。
【００３３】
操作値メモリ１１１には、テレビジョン放送番組に対応するジャンルと、ジャンルに対応する画質と音質の制御パラメータが記憶される。操作値メモリ１１１に記憶されている情報については、図３と図４を参照して後述する。
【００３４】
入力インターフェース１１２には、操作部１２１および受光部１２２が設けられている。操作部１２１は、ユーザからの操作を入力し、対応する信号をシステムコントローラ１１０に供給する。また、受光部１２２は、リモートコントローラ（図示せず）により出力される赤外線信号を受光し、対応する信号をシステムコントローラ１１０に供給する。
【００３５】
通信部１１６は、アンテナ１１５−１を介して、通信制御部４、さらに、他のテレビジョン受像機との間の無線通信を行なう。
【００３６】
なお、図１のテレビジョン受像機４１−２乃至４１−９の構成は、図２のテレビジョン受像機４１−１と同一であるため、その説明は省略する。そして、以下においては、図２は、テレビジョン受像機４１−２乃至４１−９の構成としても引用する。ただし、後述する図１１においては、記載を明瞭にするために、テレビジョン受像機４１−１に対応するアンテナをアンテナ１１５−１、受光部を受光部１２２−１とし、テレビジョン受像機４１−２に対応するアンテナをアンテナ１１５−２、受光部を１２２−２として記載する。
【００３７】
次に、操作値メモリ１１１に記憶されている情報（パラメータ）を、図３と図４を参照して説明する。図３は、操作値メモリ１１１に記憶されている、番組のジャンルに対応する操作頻度と満足チェックを示す。
【００３８】
図３において、番組ジャンルは、ニュース４０１、スポーツ４０２、映画４０３、アニメ４０４、風景４０５、バラエティ４０６、美術４０７、音楽４０８、およびドラマ４０９とされ、それぞれのジャンルの後ろに付されている数字（４０１乃至４０９）は、カテゴリー（ジャンル）ＩＤである。
【００３９】
また、それぞれの番組ジャンルに対応して、頻度が設定されている。この頻度は、画質と音質のパラメータの設定を変更（調整）した回数を表わす。また、満足ボタンチェックは、画質と音質のパラメータの設定を変更した結果、出力される画像と音声に対して、ユーザが満足しているか否かを表わすフラグである。例えば、満足ボタンの値の１は、ユーザが、その画質と音質に対して満足していることを示し、その値の０は、ユーザが、その画質と音質に対して満足していないことを示す。
【００４０】
図３の例では、ニュース４０１の番組ジャンルの場合、その頻度（パラメータの設定を変更（調整）した回数）は１５回とされ、満足ボタンチェックは１とされている。すなわち、ユーザは、ニュースの画質と音質に対して満足している。また、スポーツ４０２の番組ジャンルの場合、その頻度は２回とされ、満足ボタンチェックは０とされている。すなわち、ユーザは、スポーツの画質と音質に対して満足していない。さらに、映画４０３の番組ジャンルの場合、その頻度は２回とされ、満足ボタンチェックは０とされている。すなわち、ユーザは、映画の画質と音質に対して満足していない。アニメ４０４の番組ジャンルの場合、その頻度は０回とされ、満足ボタンチェックは０とされている。すなわち、ユーザは、アニメの画質と音質に対して満足していない。
【００４１】
風景４０５の番組ジャンルの場合、その頻度は１０回とされ、満足ボタンチェックは１とされている。すなわち、ユーザは、風景の画質と音質に対して満足している。バラエティ４０６の番組ジャンルの場合、その頻度は０回とされ、満足ボタンチェックは０とされている。すなわち、ユーザは、バラエティの画質と音質に対して満足していない。美術４０７の番組ジャンルの場合、その頻度は５回とされ、満足ボタンチェックは１とされている。すなわち、ユーザは、美術の画質と音質に対して満足している。音楽４０８の番組ジャンルの場合、その頻度は２回とされ、満足ボタンチェックは０とされている。すなわち、ユーザは、音楽の画質と音質に対して満足していない。ドラマ４０９の番組ジャンルの場合、その頻度は１回とされ、満足ボタンチェックは０とされている。すなわち、ユーザは、ドラマの画質と音質に対して満足していない。
【００４２】
このように、操作値メモリ１１１には、それぞれの番組ジャンル毎に頻度と満足度が記憶される。
【００４３】
各社（各メーカ）のテレビジョン受像機には、様々な画質の調整機能が備えられている。例えば、本出願人会社製のクラス分類適応処理を行なうテレビジョン受像機には、画像のぼけ、ノイズ除去を行なう調整機能が設けられている。また、その他の会社のテレビジョン受像機には、ピクチャ、明るさ、色の濃さ、色合い、およびシャープネス等の調整機能も設けられている。
【００４４】
また、音質の調整機能としては、例えば、低音、中音、および高音の周波数と位相の特性を調整する機能の他、臨場感を向上させることが可能なサラウンド効果の調整機能も設けられている。
【００４５】
図４は、操作値メモリ１１１に記憶されている、１つの番組ジャンルの画質と音質のパラメータの例を示す。
【００４６】
図４において、画質のパラメータは、クラス分類適応処理とその他画像処理とで表わされ、音質パラメータは音響処理で表わされている。クラス分類適応処理の画質音質選択項目（いまの例の場合は、画質選択項目とされる）は、画像のぼけ感とノイズ感により構成され、その他画像処理の画質音質選択項目（いまの例の場合、画質選択項目とされる）は、ピクチャ、明るさ、色の濃さ、色合い、およびシャープネスにより構成される。音響処理の画質音質選択項目（いまの例の場合、音質選択項目とされる）は、低音、中音、高音、およびサラウンド等とされる。なお、画質音質選択項目は、上記項目に限らず、他の項目を設けることもできる。
【００４７】
それぞれの画質音質選択項目には、それぞれ識別する項目ＩＤが付加されている他、それぞれ画質音質設定値が設定されている。図４の例の場合、ぼけ感に対応する項目ＩＤは１１とされ、画質音質設定値は設定値１とされる。また、ノイズ感に対応する項目ＩＤは１２とされ、画質音質設定値は設定値２とされる。ピクチャに対応する項目ＩＤは２１とされ、画質音質設定値は設定値３とされる。明るさに対応する項目ＩＤは２２とされ、画質音質設定値は設定値４とされる。色の濃さに対応する項目ＩＤは２３とされ、画質音質設定値は設定値５とされる。色合いに対応する項目ＩＤは２４とされ、画質音質設定値は設定値６とされる。シャープネスに対応する項目ＩＤは２５とされ、画質音質設定値は設定値７とされる。低音に対応する項目ＩＤは３１とされ、画質音質設定値は設定値８とされる。中音に対応する項目ＩＤは３２とされ、画質音質設定値は設定値９とされる。高音に対応する項目ＩＤは３３とされ、画質音質設定値は設定値１０とされる。サラウンドに対応する項目ＩＤは３４とされ、画質音質設定値は設定値１１とされる。なお、実際には、設定値１乃至設定値１１は、具体的な数値で表わされる。
【００４８】
このように、複数の画質音質設定項目に対応する項目ＩＤと画質音質設定値が、番組ジャンル毎に操作値メモリ１１１に記憶されている。すなわち、１つの番組ジャンル（例えば、風景４０５のジャンル）に、図４に示される画質音質設定値が対応付けられて記憶されている。
【００４９】
図５は、図２の画像信号処理回路１０５の基本的な構成例を示す図である。実際には、複雑なクラス分類適応処理を行なっているが、その詳細な説明は省略する。
【００５０】
画像信号処理回路１０５は、バッファメモリ２０１、空間クラスタップ選択回路２０２、空間クラス検出回路２０３、係数メモリ２０４、予測タップ選択回路２０５、推定予測演算回路２０６、後処理回路２０６、加算部２０８、およびＯＳＤ（Ｏｎ  Ｓｃｒｅｅｎ  Ｄｉｓｐｌａｙ）回路２０９により構成されている。
【００５１】
バッファメモリ２０１は、ビデオデコーダ１０４から供給された、例えば、ＳＤ（Ｓｔａｎｄａｒｄ  Ｄｅｆｉｎｉｔｉｏｎ）信号（５２５ｉ信号）を一時的に記憶する。空間クラスタップ選択回路２０２は、バッファメモリ２０１に記憶されているＳＤ信号からＨＤ（Ｈｉｇｈ  Ｄｅｆｉｎｉｔｉｏｎ）信号に係る着目画素の周辺に位置する空間クラスタップのデータ（ＳＤ画素データ）を選択的に取り出す。この空間クラスタップ選択回路２０２により選択的に取り出された空間クラスタップのデータ（ＳＤ画素データ）は、空間クラス検出回路２０３に供給される。空間クラス検出回路２０３は、空間クラスタップのデータの各ＳＤ画素データに対して、１ビットＡＤＲＣ（Ａｄａｐｔｉｖｅ  Ｄｙｎａｍｉｃ  Ｒａｎｇｅ  Ｃｏｄｉｎｇ）処理を実行し、空間クラス（主に空間内の波形表現のためのクラス分類）のクラス情報としての量子化コードを取得する。
【００５２】
入力インターフェース１１２の受光部１２２は、ユーザの操作に基づきリモートコントローラより出力される赤外線信号を受光し、対応する信号をシステムコントローラ１１０に供給する。その操作が画質調整のための操作であるとき、システムコントローラ１１０は、操作値メモリ１１１から画質のパラメータを読み出し、その値に対応するボリューム値を係数メモリ２０４に出力する。このボリューム値は、画質を調整するのに必要な相互に影響する複数のパラメータを同時に最適な値に設定するための値であり、予め用意されている。ユーザによるパラメータの調整方法については、図７と図８を参照して後述する。
【００５３】
係数メモリ２０４には、空間クラス検出回路２０３により供給された空間クラスのクラス情報としての量子化コード（予測係数）が記憶されている。ボリューム値は係数メモリ２０４のアドレスに対応しており、係数メモリ２０４はボリューム値が入力されると、そのアドレスに記憶されている４画素分の係数データを読み出し、推定予測演算回路２０６に供給する。
【００５４】
また、予測タップ選択回路２０５は、バッファメモリ２０１に記憶されているＳＤ信号から、ＨＤ信号に係る注目画素の周辺に位置する予測タップのデータ（例えば、４個のＳＤ画素データ）を選択的に取り出す。推定予測演算回路２０６は、予測タップ選択回路２０５により取り出された予測タップのデータ（４個のＳＤ画素データ）と、係数メモリ２０４から供給された４画素分の係数データに基づいて、作成すべきＨＤ信号を構成する単位ブロック内の４画素（注目画素）のデータを個別に演算する。演算された４画素のデータは、後処理回路２０７に供給される。
【００５５】
後処理回路２０７は、供給された４画素のデータを線順次化し、１０５０ｉ信号のフォーマットに変換し、加算器２０８に出力する。
【００５６】
映像表示部１０６に、画質の調整を行なう場合、システムコントローラ１１０は、画質調整のためのパラメータを表示するための数値またはグラフ等に対応する表示データをＯＳＤ回路２０９に供給する。ＯＳＤ回路２０９は、供給された表示データに基づく、表示信号ＳＣＨ（画面上に文字図形などの表示を行なうための表示信号）を発生し、加算器２０８に出力する。
【００５７】
加算器２０８は、後処理回路２０７からの１０５０ｉ信号（映像信号）に、ＯＳＤ回路２０９からのＳＣＨを加算し、映像表示部１０６に出力する。これにより、画質パラメータにより調整された画像と、そのときの画質パラメータが表示される。ユーザは、画質パラメータとその画像を見て、画質を調整する。
【００５８】
テレビジョン受像機４１−１の主に画質調整に関する機能的構成は、図６に示されるようになる。
【００５９】
チャンネル変更受付部２５１は、ユーザによりチャンネルの変更が指令がされた場合、これを受け付け、ジャンル取得部２５３に出力する。ＥＰＧ取得部２５２は、データパケットに含まれるＥＰＧを取得し、ジャンル取得部２５３に供給する。ジャンル取得部２５３は、ユーザが選択したチャンネルの番組（コンテンツ）のジャンルをＥＰＧから取得する。
【００６０】
要求判定部２５４は、ユーザの指令、および記憶部２５５に記憶されている情報に基づいて、パラメータを他のテレビジョン受像機４１−ｉ（ｉ＝２，３，４，・・・，９）に対して要求するか否かの判定を実行するとともに、パラメータ設定受付部２５６およびパラメータ要求部２５８を制御する。記憶部２５５は、ユーザにより設定された、図３と図４に示されるような設定パラメータが、各ジャンルに関連付けられて記憶されている。パラメータ設定受付部２５６は、ユーザから入力されるパラメータの設定を受け付ける。パラメータ取得部２５７は、記憶部２５５に記憶されているパラメータを取得し、パラメータ要求部２５８は、要求判定部２５４の制御に基づいて、他のテレビジョン受像機（例えば、テレビジョン受像機４１−２）に対して、パラメータの送信を要求する。
【００６１】
パケット受信部２５９は、パラメータ要求部２５８の要求に対応して、他のテレビジョン受像機４１−２から送信されてきたパラメータを受信する。クラス分類判定部２６０は、パラメータ取得部２５７により取得されたパラメータ、パケット受信部２５９が取得したパラメータ、または、記憶部２５５に記憶されているパラメータに基づいて、クラス分類適応処理のパラメータを設定する必要があるか否かを判定し、その判定結果を信号処理部２６１に供給する。
【００６２】
信号処理部２６１は、係数メモリ記憶部２６２に記憶されている係数と、クラス分類判定部２６０からの判定結果に基づいて、画像を調整する処理を行なう。
【００６３】
満足ボタン設定部２６６は、要求判定部２５４からの制御に基づいて、満足ボタンチェックを０または１に設定する。
【００６４】
要求受信部２６３は、他のテレビジョン受像機、例えば、テレビジョン受像機４１−３から設定パラメータの要求があった場合、これを受信し、送信判定部２６４に出力する。送信判定部２６４は、要求をしてきたテレビジョン受像機４１−３に対して、設定パラメータを送信するか否かを、記憶部２５５に記憶されている情報に基づいて判定する。送信判定部２６４は、設定パラメータを送信すると判定した場合、記憶部２５５に記憶されている画質と音質のパラメータを、応答部２６５に供給する。応答部２６５は、要求のあったテレビジョン受像機４１−３に設定パラメータを送信する。
【００６５】
なお、図１のテレビジョン受像機４１−２乃至４１−９の機能的構成は、図６のテレビジョン受像機４１−１と同一であるため、その説明は省略する。そして、以下においては、図６は、テレビジョン受像機４１−２乃至４１−９の構成としても引用する。
【００６６】
次に、図７と図８のフローチャートを参照して、図６のテレビジョン受像機４１−１における表示制御処理を説明する。なお、この処理は、ユーザによるテレビジョン受像機４１−１のチャンネルを変更する指令が入力されたとき開始される。
【００６７】
ステップＳ１において、チャンネル変更受付部２５１は、ユーザからのチャンネルの変更の指令を受け付け、受け付けられたチャンネルを表わすデータをジャンル取得部２５３に供給する。
【００６８】
ステップＳ２において、ＥＰＧ取得部２５２は、ＥＰＧを取得する。具体的には、アンテナ１０１およびチューナ１０２を介して受信されたＴＳパケットのデータパケットから、ＳＩが取得され、さらに、ＳＩに含まれるＥＰＧが取得される。ＥＰＧ取得部２５２は、取得したＥＰＧを、ジャンル取得部２５３に供給する。
【００６９】
ステップＳ３において、ジャンル取得部２５３は、ステップＳ１の処理により受け付けられたチャンネル（ユーザにより選択されたチャンネル）で、いま放送されている番組のジャンルをＥＰＧから取得する。番組ジャンルには、上述した図３に示されるようなジャンルが存在するので、例えば、ユーザにより、指定されたチャンネルの番組のジャンルが「スポーツ」である場合、システムコントローラ１１０は、スポーツ４０２の番組ジャンルを取得する。
【００７０】
ステップＳ４において、要求判定部２５４は、ユーザにより、他のユーザの設定パラメータを参照することを要求されたか否かを判定する。すなわち、ユーザは、チャンネルを変更した場合、そのチャンネルの番組の画質のパラメータの転送を、他のテレビジョン受像機に対して要求することができる。
【００７１】
ステップＳ４において、他のユーザの設定パラメータの参照が要求されていないと判定された場合、処理はステップＳ５に進み、要求判定部２５４は、記憶部２５５に記憶されている図３に示される設定パラメータを参照して、対応するジャンル（ステップＳ３の処理により取得されたジャンル）の満足ボタンがチェックされている（満足ボタンチェックが１とされている）か否かを判定する。いまの例の場合、番組ジャンルはスポーツ４０２とされており、満足ボタンチェックは０とされている、すなわち、満足ボタンはチェックされていないと判定される。満足ボタンがチェックされていない（満足ボタンチェックが０とされている）と判定された場合、ステップＳ６に進み、パラメータ設定受付部２５６は、ユーザからのパラメータの設定を受け付ける。例えば、パラメータ設定受付部２５６は、映像表示部２６６に、設定パラメータの入力を促すメッセージを表示させ、ユーザからの指令を、操作部１２１または受光部１２２から受け付ける。これにより、例えば、図４に示されるような、画質音質設定値の設定値１乃至設定値７のうちの所定のものが受け付けられる。パラメータ設定受付部２５６は、受け付けたパラメータ（設定値）を、記憶部２５５に供給する。
【００７２】
ステップＳ７において、記憶部２５５は、パラメータ設定受付部２５６から供給されたパラメータ、すなわち、画質音質設定値とされる設定値１乃至設定値１１を、対応する番組ジャンルに関連付けて記憶する。このとき、図３に示されるスポーツ４０２の頻度に、１が加算される。すなわち、パラメータを設定（調整）した回数（頻度）が、１だけインクリメントされる。
【００７３】
ステップＳ５において、満足ボタンがチェックされている（すなわち、対応する満足ボタンチェックが１とされている）と判定された場合、処理はステップＳ８に進み、パラメータ取得部２５７は、記憶部２５５に記憶されているユーザ自身が過去に設定し、記憶されている設定パラメータを参照する（読み出す）。具体的には、ステップＳ３の処理により取得されたジャンルに関連付けられて記憶されている設定パラメータが取得される。その後、パラメータ取得部２５７は、読み出した設定パラメータを、クラス分類判定部２６０に供給する。
【００７４】
ステップＳ４において、他のユーザの設定パラメータの参照が要求されたと判定された場合、処理はステップＳ９に進み、パラメータ要求部２５８は、要求判定部２５４からの制御に基づいて、他のユーザに対して、設定パラメータの転送を要求する。具体的には、通信部１１６が、通信制御部４を介して、他のテレビジョン受像機（例えば、テレビジョン受像機４１−２）に、対応する番組ジャンルの設定パラメータの転送を要求する。
【００７５】
この要求を受けたテレビジョン受像機（例えば、テレビジョン受像機４１−２）は、自分自身が保持している設定パラメータのうちの、要求された番組ジャンルのものの満足ボタンがチェックされている場合（後述する図１０のステップＳ５４でＹＥＳと判定された場合）、図９に示されるような設定パラメータを含むパケット５００を、要求のあったテレビジョン受像機４１−１に送信してくる（後述する図１０のステップＳ５５）。
【００７６】
なお、テレビジョン受像機４１−２は、パラメータの満足ボタンがチェックされていない場合、設定パラメータを送信してこない。この場合（例えば、要求を行なった後、所定の期間、パケットが送信されてこなかった場合）、システムコントローラ１１０は、要求したテレビジョン受像機４１−２とは異なるテレビジョン受像機（例えば、テレビジョン受像機４１−３）に、自動的に設定パラメータの要求を行なう。勿論、相手を特定せずに要求を出し（要求をマルチキャストし）、応答のあるものを受信するようにしてもよい。
【００７７】
図９は、他のテレビジョン受像機（いまの例の場合、テレビジョン受像機４１−２）との間で授受される、設定パラメータを含むパケット（いまの例の場合、テレビジョン受像機４１−２から送信されてくるパケット）５００を説明する図である。
【００７８】
図９において、パケット５００は、ヘッダフィールド５０１、ジャンル・カテゴリＩＤフィールド５０２、画質項目ＩＤ・画質設定値フィールド５０３、音響項目ＩＤ・音声設定値フィールド５０４、およびその他フィールド５０５により構成されている。
【００７９】
ヘッダフィールド５０１には、送信先のテレビジョン受像機（いまの例の場合、テレビジョン受像機４１−１）のＩＤが書き込まれる。ジャンル・カテゴリフィールドＩＤ５０２には、図３に示されるような番組ジャンルとカテゴリーＩＤが書き込まれる。例えば、いまの場合、番組ジャンルはスポーツなので、「４０２」が書き込まれる。
【００８０】
画質項目ＩＤ・画質設定値フィールド５０３には、図４に示される画質音質選択項目のうち、画質に関連する項目の項目ＩＤと画質に関連する項目の設定値が書き込まれる。すなわち、図４の例の場合、画質に関連する項目は、クラス分類適応処理（ぼけ感およびノイズ感）、並びに、その他画像処理（ピクチャ、明るさ、色の濃さ、色合い、およびシャープネス）に含まれる項目とされるので、各項目ＩＤに対応する画質設定値が書き込まれる。
【００８１】
具体的には、項目ＩＤ１１に対応して設定値１、項目ＩＤ１２に対応して設定値２、項目ＩＤ２１に対応して設定値３、項目ＩＤ２２に対応して設定値４、項目ＩＤ２３に対応して設定値５、項目ＩＤ２４に対応して設定値６、項目ＩＤ２５に対応して設定値７が書き込まれる。
【００８２】
音響項目ＩＤ・音声設定値フィールド５０４には、図４に示される画質音質選択項目のうち、音質に関連する項目の項目ＩＤと音質に関連する項目の設定値が書き込まれる。すなわち、図４の例の場合、音質に関連する項目は、音響処理（低音、中音、高音、およびサラウンド）に含まれる項目とされるので、それぞれの項目ＩＤに対応する音声設定値が書き込まれる。
【００８３】
具体的には、項目ＩＤ３１に対応して設定値８、項目ＩＤ３２に対応して設定値９、項目ＩＤ３３に対応して設定値１０、項目ＩＤ３４に対応して設定値１１が書き込まれる。なお、画質と音声の一方のみのパラメータが要求されている場合には、他方のフィールドには無効データが記述される。
【００８４】
その他フィールド５０５には、各種情報が書き込まれる。
【００８５】
図７に戻って、ステップＳ１０において、パケット受信部２５９は、設定値を含むパケット５００を受信する。具体的には、通信部１１６が、通信制御部４を介して、要求をしたテレビジョン受像機４１−２から送信されてくるパケットを受信する。パケット受信部２５９は、このパケットを、クラス分類判定部２６０に供給する。
【００８６】
ステップＳ１１において、クラス分類判定部２６０は、パケット５００の中に、クラス分類適応処理の設定があるか否かを判定する。具体的には、図４に示される、クラス分類適応処理に対応する画質音質設定値（設定値１と設定値２）が設定されているか（初期値から変更されているか）否かが判定される。クラス分類適応処理が設定されていると判定された場合、処理はステップＳ１２に進み、信号処理部２６１は、クラス分類判定部２６０からの制御、およびパケット５００の内容に基づいて、係数メモリ記憶部２６２から係数を読み出す。
【００８７】
ステップＳ１３において、信号処理部２６１は、読み出された係数に基づいて、ＨＤ画像を生成する。
【００８８】
具体的には、画像信号処理回路１０５（図５）の空間クラスタップ選択回路２０２は、バッファメモリ２０１に記憶されているＳＤ信号から、ＨＤ信号に係る着目画素の周辺に位置する空間クラスタップのデータ（ＳＤ画素データ）を選択的に取り出し、空間クラス検出回路２０３に供給する。空間クラス検出回路２０３は、空間クラスタップのデータの各ＳＤ画素データに対して、１ビットＡＤＲＣ処理を実行し、空間クラスのクラス情報としての量子化コード（クラス）を取得し、係数メモリ２０４に出力する。ステップＳ１２の処理では、この量子化コード（クラス）におけるボリューム値（パラメータに関連付けられている）に対応する係数（４画素分の係数）が、係数メモリ２０４（係数メモリ記憶部２６２に対応する）から読み出されて、推定予測演算回路２０６に供給される。
【００８９】
また、予測タップ選択回路２０５は、バッファメモリ２０１に記憶されているＳＤ信号から、ＨＤ信号に係る注目画素の周辺に位置する予測タップのデータ（４個のＳＤ画素データ）を選択的に取り出し、推定予測演算回路２０６に供給する。推定予測演算回路２０６は、予測タップのデータに係数メモリ２０４から供給された係数データを乗算することで予測演算を行ない、ＨＤ信号を構成する単位ブロック内の注目画素のデータを演算する。演算されたデータは、後処理回路２０７に供給される。後処理回路２０７は、供給された画素データを線順次化し、１０５０ｉ信号のフォーマットに変換し、加算器２０８に出力する。このようにして、画質調整された画素データが加算器２０８に入力される。
【００９０】
また、ユーザから画質の調整が指令された場合、システムコントローラ１１０は、画質調整のためのパラメータを表わす数値またはグラフ等に対応する表示データをＯＳＤ回路２０９に供給する。ＯＳＤ回路２０９は、供給された表示データに基づく、表示信号ＳＣＨを発生し、加算器２０８に出力する。
【００９１】
加算器２０８は、後処理回路２０７からの１０５０ｉ信号（映像信号）に、ＯＳＤ回路２０９からの表示信号ＳＣＨを加算し、映像表示部１０６に出力する。
【００９２】
ステップＳ１４において、信号処理部２６１は、各種の信号処理を実行する。具体的には、クラス分類適応処理以外の項目であるその他の画像処理の設定値３乃至７に基づいて、画質を調整するとともに、音響処理の設定値８乃至設定値１１に基づいて、音声を調整する。なお、ステップＳ１３の処理により加算器２０８から出力される画像信号は、ステップＳ１４の処理により調整された画像信号に合成される。
【００９３】
ステップＳ１１において、クラス分類適応処理の設定がないと判定された場合、処理はステップＳ１５に進み、信号処理部２６１は、各種の信号処理を実行する。具体的には、信号処理部２６１は、クラス分類適応処理以外の項目であるその他の画像処理の設定値３乃至７に基づいて、画質を調整するとともに、音響処理の設定値８乃至設定値１１に基づいて、音声を調整する。
【００９４】
ステップＳ１４の処理の後、またはステップＳ１５の処理の後、処理はステップＳ１６に進み、信号処理部２６１は、調整された画像、および音声を出力する。具体的には、映像信号が映像表示部１０６に出力され、音声信号が音声出力部１０９に出力される。
【００９５】
ステップＳ１７において、パラメータ設定受付部２５６は、画質と音質のパラメータを変更するか否かを判定する。具体的には、ユーザから、設定パラメータを変更する指令が入力されたか否かが判定される。設定パラメータを変更すると判定された場合、処理はステップＳ１８に進み、パラメータ設定受付部２５６は、ユーザからのパラメータの設定を受け付ける。例えば、図４に示されるような、画質音質設定値（設定値１乃至設定値１１）の設定が受け付けられる。その後、処理はステップＳ１１に戻り、それ以降の処理（新たに設定された設定パラメータに基づいて、画像と音声が調整され、出力される処理）が繰り返される。
【００９６】
ステップＳ１７において、設定パラメータを変更しないと判定された場合、ステップＳ１９において、パラメータ設定受付部２５６は、設定されたパラメータを登録するか否かを判定する。具体的には、設定パラメータを登録するか否かのメッセージが表示され、ユーザから登録を指示する指令が入力されたか否かが判定される。設定パラメータの値を登録すると判定された場合、処理はステップＳ２０に進み、記憶部２５５は、パラメータ設定受付部２５６の制御に基づいて、いまの設定パラメータ、すなわち、ステップＳ７の処理により記憶部２５５に記憶されたパラメータ、ステップＳ８の処理により参照された個人パラメータ、ステップＳ１０の処理により受信した設定値パラメータ、または、ステップＳ１８の処理により受け付けられた設定パラメータを登録、または、再登録する。
【００９７】
ステップＳ１９において、設定パラメータを登録しないと判定された場合、またはステップＳ２０の処理の後、処理はステップＳ２１に進み、満足ボタン設定部２６６は、満足ボタンをチェックする（満足ボタンチェックを１に設定する）か否かを判定する。具体的には、ユーザからの、満足ボタンをチェックする指令が入力されたか否かが判定される。満足ボタンをチェックすると判定された場合、処理はステップＳ２２に進み、満足ボタン設定部２６６は、記憶部２５５に記憶されている、該当する番組ジャンルの満足ボタンを１と設定し、記憶部２５５に記憶させる。いまの例の場合、スポーツ４０２の番組ジャンルの満足ボタンが１とされる。
【００９８】
ステップＳ２１において、満足ボタンをチェックしない（満足ボタンチェックを０のままとする）と判定された場合、または、ステップＳ２２の処理の後、処理は終了される。
【００９９】
図７と図８の処理により、テレビジョン受像機４１−１は、他のテレビジョン受像機４１−２に設定されている画質と音質の設定パラメータを、必要に応じて、受信して、設定することができる。
【０１００】
次に、図１０のフローチャートを参照して、テレビジョン受像機４１−１が実行する図７および図８のステップＳ９とステップＳ１０に対応する、テレビジョン受像機４１−２の設定パラメータ（設定パラメータを含むパケット５００）送信処理を説明する。なお、この処理は、図７のステップＳ９の処理により、テレビジョン受像機４１−１から設定パラメータの要求がされたとき開始される。なお、上述したように、テレビジョン受像機４１−２の構成は、図６を参照する。
【０１０１】
ステップＳ５１において、テレビジョン受像機４１−２の要求受信部２６３は、設定パラメータの要求（図７のステップＳ９）を受け付ける。いまの例の場合、テレビジョン受像機４１−１からは、スポーツ４０２の番組ジャンルに対応する設定パラメータが要求されてくる。この要求は、例えば、通信制御部４を介して転送されてくる。
【０１０２】
ステップＳ５２において、送信判定部２６４は、記憶部２５５をオープンする。すなわち、送信判定部２６４は、設定パラメータが記憶されている記憶部２５５にアクセスする。
【０１０３】
ステップＳ５３において、送信判定部２６４は、記憶部２５５に記憶されている設定パラメータを検索する。いまの例の場合、該当する番組ジャンルはスポーツ４０２とされているので、スポーツ４０２に対応する設定パラメータが検索される。
【０１０４】
ステップＳ５４において、送信判定部２６４は、検索した設定パラメータを参照して、該当する番組ジャンルの満足ボタンがチェックされているか、すなわち、満足ボタンチェックが１とされているか否かを判定する。満足ボタンがチェックされている、すなわち、満足ボタンが１とされていると判定された場合、処理はステップＳ５５に進み、応答部２６５は、送信判定部２６４からの制御に基づいて、設定パラメータ（例えば、図４に示される設定値１乃至設定値１１）を含むパケット５００を、要求されたテレビジョン受像機４１−１に送信する。
【０１０５】
ステップＳ５４において、満足ボタンがチェックされていないと判定された場合、または、ステップＳ５５の処理の後、処理は終了される。なお、このとき、満足ボタンがチェックされていないことを通知する情報を、要求してきたテレビジョン受像機４１−１に送信するようにしてもよい。
【０１０６】
テレビジョン受像機４１−２は、要求されたジャンルの満足ボタンがチェックされていない（満足ボタンチェックが０とされる）場合、設定パラメータを送信しないようにするので、要求を行なったテレビジョン受像機４１−１は、他のユーザにとって満足されていない設定パラメータを受信せずに済む。
【０１０７】
以上の処理により、テレビジョン受像機４１−１は、他のユーザにより設定された、他のテレビジョン受像機４１−２の画質と音質の設定パラメータを用いて、画質や音質のパラメータを簡単に適切な値に設定することができる。
【０１０８】
これにより、ユーザに、複雑な操作を要求することなく、全てのジャンルの番組（コンテンツ）の、画質、音質を向上させることができる。
【０１０９】
その結果、ユーザは、特に必要と考える番組ジャンルのパラメータのみを設定すればよい。
【０１１０】
通信制御部４の近隣（電波が届く範囲内）に配置されているそれぞれのテレビジョン受像機の画質、音質の設定パラメータを向上させることができる。
【０１１１】
なお、ＥＰＧは、番組とともに送られてくるものを利用するのではなく、インターネット１を介して所定のサーバ（図示せず）から取得したものを利用してもよい。
【０１１２】
図１１は、この場合の例を表わしている。この例においては、リモートコントローラ（遠隔制御装置）として携帯端末が用いられる。なお、図中、上述した図１乃至図６と対応する部分については、同一の符号を付してあり、その説明は、繰り返しになるので省略する。
【０１１３】
家庭２１−１には、テレビジョン受像機４１−１が配置されており、テレビジョン受像機４１−１は、携帯電話機、ＰＤＡ（Ｐｅｒｓｏｎａｌ  Ｄｉｇｉｔａｌ  Ａｓｓｉｓｔａｎｔ）等で構成される携帯端末１７１−１−１、または携帯端末１７１−１−２により遠隔制御される。テレビジョン受像機４１−１には、赤外線を受光する受光部１２２−１およびアンテナ１１５−１が設けられている。また、この例の場合、携帯端末１７１−１−１と携帯端末１７１−１−２を所有するユーザは異なるユーザとされる。
【０１１４】
携帯端末１７１−１−１には、最寄りの携帯電話基地局１５１を介する通信を行なうアンテナ１７２−１−１、赤外線信号を出力する発光部１７３−１−１が設けられている。また、携帯端末１７１−１−１と同様に、携帯端末１７１−１−２には、アンテナ１７２−１−２と発光部１７３−１−２が設けられている。
【０１１５】
家庭２１−２には、テレビジョン受像機４１−２が配置されており、テレビジョン受像機４１−２は、携帯端末１７１−２−１、または携帯端末１７１−２−２により遠隔制御される。テレビジョン受像機４１−２には、赤外線を受光する赤外線受光部１２２−２およびアンテナ１１５−２が設けられている。また、この例の場合、携帯端末１７１−２−１と携帯端末１７１−２−２を所有するユーザは異なるユーザとされる。
【０１１６】
携帯端末１７１−２−１には、携帯電話基地局１５１を介する通信を行なうアンテナ１７２−２−１、赤外線信号を発光する発光部１７３−２−１が設けられており、携帯端末１７１−２−２には、携帯電話基地局１５１を介する通信を行なうアンテナ１７２−２−２、赤外線信号を発光する発光部１７３−２−２が設けられている。
【０１１７】
携帯端末１７１−１−１は、アンテナ１７２−１−１を使用して携帯電話基地局１５１を介する通信を行ない、インターネット１に接続して所定のサーバからＥＰＧを取得する。携帯端末１７１−１−１は、取得したＥＰＧを含む赤外線信号を、発光部１７３−１−１に発光させる。テレビジョン受像機４１−１の受光部１２２−１はこれを受光し、ＥＰＧを取得する。携帯端末１７１−１−１はまた、ユーザにより、パラメータを変更する指令がされたとき、画質と音質を調整するパラメータを含む赤外線信号を、発光部１７３−１−１に発光させる。また、携帯端末１７１−１−１は、ユーザにより、チャンネルを変更する指令がされたとき、変更するチャンネルを含む赤外線信号を、発光部１７３−１−１に発光させる。赤外線信号には、携帯端末１７１−１−１に固有のＩＤが含まれる。これにより、テレビジョン受像機４１−１は、チャンネルを変更した携帯端末、パラメータの設定をしてくる携帯端末を特定することができる。
【０１１８】
他の携帯端末１７１−１−２，１７１−２−１，１７１−２−２おいてもに同様である。
【０１１９】
図１２は、図１１のテレビジョン受像機４１−１の機能的構成を示す。なお、図中、図６と対応する部分については、同一の符号を付してあり、その説明は、繰り返しになるので省略する。
【０１２０】
チャンネル変更受付部５５０は、携帯端末１７１−１−１，１７１−１−２からチャンネルを変更する指令が入力された場合、これを受け付けるとともに、同時に送信されてくる携帯端末１７１−１−１，１７１−１−２に固有のＩＤを取得する。チャンネル変更受付部５５０は、受け付けたチャンネルをジャンル取得部２５３に供給すると共に、ＩＤを記憶部２５５に供給する。従って、この例の場合、パラメータをＩＤに関連付けて記憶させることにより、ユーザ毎（携帯端末毎）に異なるパラメータの設定をすることができる。その構成は、図６における場合と同様である。
【０１２１】
図１３は、リモートコントローラとしての機能を備える図１１の携帯端末１７１−１−１が携帯電話機とされる場合の構成例を示す図である。
【０１２２】
携帯端末１７１−１−１には、アンテナ１７２−１−１、送受信部３０１、変復調部３０２、携帯電話機能処理部３０３、ＥＰＧ処理部３０４、システムコントローラ３０５、入力キー処理部３０６、個人情報メモリ３０７、および発光部１７３−１−１が設けられている。
【０１２３】
送受信部３０１は、アンテナ１７２−１−１を介して、最寄りの携帯電話基地局１５１を介して、他の機器（電話機、携帯電話機）と通信を行ない、音声信号を送信したり、受信したりする。また、送受信部３０１は、携帯電話基地局１５１を介してインターネット１に接続することにより、ＥＰＧを受信したり、電子メールを送受信する。送受信部３０１は、受信したＥＰＧ、電子メール、または音声信号を変復調部３０２に供給する。
【０１２４】
送受信部３０１から変復調部３０２に供給されるＥＰＧまたは音声信号は、変調されているので、変復調部３０２は、これを復調し、復調した情報がＥＰＧである場合、これをＥＰＧ処理部３０４に供給し、復調した情報が音声信号または電子メールである場合、これを携帯電話機能処理部３０３に供給する。携帯電話機能処理部３０３は、音声入出力部、電子メール入出力部、番号検出部、および着信検出部などの各種の携帯電話機能を備えており、取得した音声信号を出力したり、ユーザの声を取得して、音声信号を生成し、変復調部３０２に送信したりする。なお、携帯電話機能処理部３０３の詳細な説明は省略する。
【０１２５】
ユーザからの指令は、入力キー処理部３０６に入力される。入力キー処理部３０６は、ユーザからの指令に基づく信号を、システムコントローラ３０５に供給する。例えば、ユーザにより個人情報メモリ３０７に記憶されている携帯電話番号を読み出す指令がされた場合、入力キー処理部３０６は、指令に対応する信号をシステムコントローラ３０５に送信する。システムコントローラ３０５は、供給された信号に基づいて、個人情報メモリ３０７に記憶されている携帯電話番号を読み出し、携帯電話機能処理部３０３に出力する。携帯電話機能処理部３０３は、供給された電話番号を表示する。
【０１２６】
また、例えば、ユーザによりパラメータの設定を開始する指令が入力された場合、システムコントローラ３０５は、ＥＰＧ処理部３０４からの番組ジャンルを取得し、ユーザの指令に基づいて、対応する番組ジャンルのパラメータを設定する。また、個人情報メモリ３０７に記憶されている携帯端末１７１−１−１に固有のＩＤを取得し、これらの情報を含む赤外線信号を発光部１７３−１に発光させる。この赤外線信号は、テレビジョン受像機４１−１の受光部１２２−１に受光される。
【０１２７】
個人情報メモリ３０７には、携帯端末１７１−１に固有のＩＤ（電話番号が固有のＩＤとされる場合、省略される）、電話番号、および電子メールアドレスなどの各種の情報が記憶されている。いまの場合、各ユーザは、異なる携帯端末を所有しているので、携帯端末に固有のＩＤは、ユーザを特定するためのユーザＩＤと等価である。
【０１２８】
なお、図１１の携帯端末１７１−１−２，１７１−２−１，１７１−２−２の構成は、図１３の携帯端末１７１−１−１と同一であるため、その説明は省略する。そして、以下においては、図１３は、携帯端末１７１−１−２，１７１−２−１，１７１−２−２の構成としても引用する。
【０１２９】
このように、テレビジョン受像機４１−１が、自分自身でＥＰＧを取得不可能な場合においても、携帯端末によりＥＰＧを取得させて、テレビジョン受像機４１−１に供給することが可能となる。
【０１３０】
図１１に示されるような構成における表示制御処理は、基本的には、図７と図８のフローチャートに示される場合と同様となる。そこで、以下に主に、図７と図８のフローチャートと異なる処理について説明する。
【０１３１】
図７のステップＳ１において、チャンネル変更受付部５５０は、チャンネルを変更する指令を取得するとともに、チャンネルを変更する指令を入力してきた携帯端末１７１−１−１に固有のＩＤを取得する。チャンネル変更受付部５５０は、変更後のチャンネルをジャンル取得部２５３に供給するとともに、ＩＤを記憶部２５５に記憶させ、以下の処理でパラメータを登録または再登録する（ステップＳ７，図８のステップＳ２０）場合、記憶部２５５は、このＩＤに関連付けて記憶する。
【０１３２】
ステップＳ２において、ＥＰＧ取得部２５２は、携帯端末１７１−１−１からＥＰＧを取得する。具体的には、携帯端末１７１−１−１がインターネット１を介してＥＰＧを取得し、それに対応する赤外線信号を送信してくるので、テレビジョン受像機４１−１の受光部１２２−１は、これを受光する。以下の処理は、上述した図７と図８と同様に行なわれる（勿論、パラメータを登録または再登録する（ステップＳ７，図８のステップＳ２０）場合には、記憶部２５５は、このＩＤに関連付けて記憶するようにする点は異なる）。
【０１３３】
このように、テレビジョン受像機４１−１の記憶部２５５に、携帯端末１７１−１−１に固有のＩＤをパラメータに関連付けて記憶させるようにしたので、上述した効果に加えて、携帯端末毎（ユーザＩＤ毎）のパラメータを設定することが可能となる。
【０１３４】
この場合、テレビジョン受像機４１−１は、複数の携帯端末、すなわち、いまの例の場合、携帯端末１７１−１−１と携帯端末１７１−１−２を所有している２人のユーザのパラメータを別々に記憶することができるので、他のテレビジョン受像機４１−２からパラメータの要求がされた場合、１人目のユーザの設定パラメータを参照して満足ボタンチェックが０とされていた場合に、２人目のユーザの設定パラメータを参照するようにすることもできる。また、２人のユーザのパラメータを一度に参照して送信することもできる。なお、勿論、テレビジョン受像機は、２人（２個のＩＤ）のパラメータに限らず、２人（２個）以上のＩＤに対応してパラメータを記憶することも可能である。
【０１３５】
このように、携帯端末１７１−１−１，１７１−１−２をリモートコントローラとして、テレビジョン受像機４１−１の画質、音質の設定パラメータを設定するようにし、かつ、携帯端末１７１−１−１，１７１−１−２に固有のＩＤを設定パラメータに対応付けるようにしたので、テレビジョン受像機４１−１に複数のユーザのパラメータを設定することができる。
【０１３６】
また、携帯端末１７１−１−１，１７１−１−２がＥＰＧを取得できるので、テレビジョン受像機４１−１がＥＰＧを受信できない環境においても、テレビジョン受像機４１−１は、ＥＰＧを取得することができる。
【０１３７】
また、満足ボタンチェックのパラメータを設けるようにしたので、該当するジャンルの設定パラメータが、満足されているか否かを判定することができ、もって、テレビジョン受像機は、設定パラメータを要求した他のテレビジョン受像機のユーザにとって満足されていない設定パラメータの送信を防ぐことができる。
【０１３８】
さらに、他のテレビジョン受像機に記憶されている設定パラメータの転送を受けるようにしたので、ユーザは、自分の好みの番組ジャンルのみのパラメータを設定すればよい。
【０１３９】
なお、図７と図８の処理では、通信制御部４の近隣（電波が届く範囲）の任意の１台のテレビジョン受像機の設定パラメータを取得して、テレビジョン受像機に設定するようにしたが、これに限らず、該当する番組ジャンルの満足ボタンチェックが１とされている全ての設定パラメータを受信して、平均することにより、その地域の平均的な画質、音質の設定パラメータを設定するようにしてもよい。この場合においても、勿論、ユーザは、設定された平均的なパラメータに基づいて、さらに詳細に、画質、音質のパラメータを調整することができる。この平均的なパラメータは、ある程度の質の高い画質、音質の設定は行なわれているので、ユーザは、各ジャンルに対して、楽に自分の好みの画質、音質を設定し、得ることができる。
【０１４０】
また、満足ボタンチェックの他に、パラメータを設定したユーザの自信度の項目を設けるようにしてもよい。この場合、例えば、設定パラメータを要求するユーザは、他のユーザの自信度の高いものから順番に表示させて、設定パラメータを選択することができる。
【０１４１】
なお、リモートコントローラとして使用する携帯端末は、携帯電話機に限らず、ＰＤＡ（Ｐｅｒｓｏｎａｌ  Ｄｉｇｉｔａｌ  Ａｓｓｉｓｔａｎｔ）、モバイルＰＣ等とすることができる。
【０１４２】
また、制御される装置は、テレビジョン受像機だけでなく、チューナを備えたパーソナルコンピュータなどの各種の情報処理装置とすることができる。
【０１４３】
さらに、放送番組だけでなく、各種のコンテンツのパラメータの設定に適用することができる。
【０１４４】
上述した一連の処理は、ハードウエアにより実行させることもできるし、ソフトウエアにより実行させることもできる。この場合、上述した処理は、図１３に示されるようなパーソナルコンピュータ６００により実行される。
【０１４５】
図１４において、ＣＰＵ（Ｃｅｎｔｒａｌ  Ｐｒｏｃｅｓｓｉｎｇ  Ｕｎｉｔ）６０１は、ＲＯＭ（Ｒｅａｄ  Ｏｎｌｙ  Ｍｅｍｏｒｙ）６０２に記憶されているプログラム、または、記憶部６０８からＲＡＭ（Ｒａｎｄｏｍ  Ａｃｃｅｓｓ  Ｍｅｍｏｒｙ）６０３にロードされたプログラムに従って各種の処理を実行する。ＲＡＭ６０３にはまた、ＣＰＵ６０１が各種の処理を実行する上において必要なデータなどが適宜記憶される。
【０１４６】
ＣＰＵ６０１、ＲＯＭ６０２、およびＲＡＭ６０３は、内部バス６０４を介して相互に接続されている。この内部バス６０４にはまた、入出力インターフェース６０５も接続されている。
【０１４７】
入出力インターフェース６０５には、キーボード、マウスなどよりなる入力部６０６、ＣＲＴ，ＬＣＤ（Ｌｉｑｕｉｄ  Ｃｒｙｓｔａｌ  Ｄｉｓｐｌａｙ）などよりなるディスプレイ、並びにスピーカなどよりなる出力部６０７、ハードディスクなどより構成される記憶部６０８、モデム、ターミナルアダプタなどより構成される通信部６０９が接続されている。通信部６０９は、電話回線やＣＡＴＶを含む各種のネットワークを介しての通信処理を行なう。
【０１４８】
入出力インターフェース６０５にはまた、必要に応じてドライブ６１０が接続され、磁気ディスク、光ディスク、光磁気ディスク、あるいは半導体メモリなどによりなるリムーバブルメディア６２１が適宜装着され、それから読み出されたコンピュータプログラムが、必要に応じて記憶部６０８にインストールされる。
【０１４９】
一連の処理をソフトウエアにより実行させる場合には、そのソフトウエアを構成するプログラムが、ネットワークや記録媒体からインストールされる。この記録媒体は、図１４に示されるように、コンピュータとは別に、ユーザにプログラムを提供するために配布される、プログラムが記録されているリムーバブルメディア６２１よりなるパッケージメディアにより構成されるだけでなく、装置本体に予め組み込まれた状態でユーザに提供される、プログラムが記録されているＲＯＭ６０２や記憶部６０８が含まれるハードディスクなどで構成される。
【０１５０】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５１】
また、本明細書において、システムとは、複数の装置により構成される装置全体を表わすものである。
【０１５２】
【発明の効果】
以上の如く、本発明によれば、コンテンツのパラメータを、簡単に適切な値に設定することができる。特に、本発明によれば、ユーザに大きな負担をかけることなく、簡単に、コンテンツのパラメータを調整することができる。
【図面の簡単な説明】
【図１】本発明を適用したシステムの構成例を示す図である。
【図２】図１のテレビジョン受像機の構成例を示すブロック図である。
【図３】図２の操作値メモリに記憶される番組ジャンルの例を示す図である。
【図４】図２の操作値メモリに記憶される設定値の例を示す図である。
【図５】図２の画像信号処理回路の構成を示すブロック図である。
【図６】図２のテレビジョン受像機の機能的構成を示すブロック図である。
【図７】図５のテレビジョン受像機における表示制御処理を説明するフローチャートである。
【図８】図５のテレビジョン受像機における表示制御処理を説明するフローチャートである。
【図９】パケットの構成を示す図である。
【図１０】設定パラメータ送信処理を説明するフローチャートである。
【図１１】テレビジョン受像機と携帯端末の情報の授受を説明する図である。
【図１２】図２のテレビジョン受像機の他の機能的構成を示すブロック図である。
【図１３】図５の携帯端末の構成を示すブロック図である。
【図１４】パーソナルコンピュータの構成を示すブロック図である。
【符号の説明】
４  通信制御部，  ４１−１，４１−２  テレビジョン受像機，  １０３  デマルチプレクサ，  １０５  画像信号処理回路，  １０８  音声信号処理回路，１１０  システムコントローラ，  １１１  操作値メモリ，  １１２  入力インターフェース，  １１６  通信部，  １７１−１−１  携帯端末，  ２５１  チャンネル変更受付部，  ２５２  ＥＰＧ取得部，  ２５３  ジャンル取得部，  ２５４  要求判定部，  ２５５  記憶部，  ２５６  パラメータ設定受付部，  ２５８  パラメータ要求部，  ２５９  パケット受信部，  ２６０  クラス分類判定部，  ２６１  信号処理部，  ２６３  合成部，  ２６６  満足ボタン設定部，  ２６３  要求受信部，  ２６４  送信判定部，  ２６５  応答部，  ５５０  チャンネル変更受付部
【図１】
2004228788.tif 000003
【図２】
2004228788.tif 000004
【図３】
2004228788.tif 000005
【図４】
2004228788.tif 000006
【図５】
2004228788.tif 000007
【図６】
2004228788.tif 000008
【図７】
2004228788.tif 000009
【図８】
2004228788.tif 000010
【図９】
2004228788.tif 000011
【図１０】
2004228788.tif 000012
【図１１】
2004228788.tif 000013
【図１２】
2004228788.tif 000014
【図１３】
2004228788.tif 000015
【図１４】
2004228788.tif 000016